(57)【要約】【課題】伝送路の障害発生時に光通信局の消費電力を低減することを目的とする。また、消費電力の低減を図りつつも、障害復旧時には、自動的に低消費電力状態から通常状態に復旧することを目的とする。【解決手段】第１の中継局と、前記第１の中継局に接続される第２の中継局と、前記第２の中継局に接続される第３の中継局と、を含む光伝送システムであって、前記第１の中継局は、端局または、第４の中継局に接続され、前記端局または前記第４の中継局と第１の中継局とを接続する第１の伝送路上で伝送路障害が発生した場合、前記第１の中継局は、前記第２の中継局に向けて光信号を送信し、前記第２の中継局は、前記光信号を検出すると、前記第３の中継局に向けて光信号を送信し、前記第３の中継局は、前記第２の中継局から前記光信号を受信すると、前記第２の中継局に向けた光信号を増幅する光増幅器の励起光源を停止することを特徴とする【選択図】  図１
2015115675.tif 000002
【特許請求の範囲】
【請求項１】
第１の中継局と、前記第１の中継局に接続される第２の中継局と、前記第２の中継局に接続される第３の中継局と、を含む光伝送システムであって、前記第１の中継局は、端局または、第４の中継局に接続され、
前記端局または前記第４の中継局と第１の中継局とを接続する第１の伝送路上で伝送路障害が発生した場合、
前記第１の中継局は、
前記第２の中継局に向けて光信号を送信し、
前記第２の中継局は、
前記光信号を検出すると、前記第３の中継局に向けて光信号を送信し、
前記第３の中継局は、
前記第２の中継局から前記光信号を受信すると、前記第２の中継局に向けた光信号を増幅する光増幅器の励起光源を停止することを特徴とする光伝送システム。
【請求項２】
前記第１の中継局は、
前記第１の伝送路からの反射光を検出すると、前記端局または前記第４の中継局に向けた光信号を増幅する自装置の光増幅器の光増幅率を一定値より低下させ、
前記第１の伝送路からの反射光が検出されなくなると、前記一定値の光増幅率とすることを特徴とする請求項１に記載の光伝送システム。
【請求項３】
請求項１に記載の光伝送システムにおいて、さらに、
前記第１の中継局は、
前記端局または前記第４の中継局に向けた光信号を増幅する自装置の光増幅器の光増幅率を一定値より低下させ、
前記第２の中継局は、
前記第１の中継局に向けた光信号を増幅する光増幅器の励起光源を停止することを特徴とする光伝送システム。
【請求項４】
請求項３に記載の光伝送システムにおいて、さらに、
前記第１の中継局は、
前記第１の伝送路からの反射光が検出されなくなると、
前記端局または前記第４の中継局に向けた光信号を増幅する自装置の光増幅器の光増幅率を一定値に戻し、
前記第２の中継局に向けた光信号の送信を停止し、
前記第２の中継局は、
前記第１の中継局からの光信号を受信しなくなると、
前記第１の中継局に向けた光信号を増幅する光増幅器の励起光源を一定値の励起光を出力するよう出力を回復させ、
前記第３の中継局への光信号の送信を停止し、
前記第３の中継局は、
前記第２の中継局に向けた光信号を増幅する光増幅器の励起光源を一定値の励起光を出力するよう出力を回復させることを特徴とする光伝送システム。
【請求項５】
第１の伝送路を介して接続された第１の光伝送装置から受信した光信号を分波する第１の光合分波器と、
前記第１の光合分波器から入力される光信号を増幅する光増幅器と、
前記光増幅器の励起光源と、
前記励起光源の出力を制御する制御部と、
前記光増幅器から出力される光信号を第２の伝送路を介して接続された第２の光伝送装置に向けて送出する第２の光合分波器と、
前記第２の光合分波器に前記第２の光伝送装置側から入力される反射光を受信する反射光受信器と、を備え、
前記制御部は、前記反射光受信器は、
前記反射光受信器で反射光を検出している場合には、
前記励起光源の出力を一定値よりも小さくなるよう制御し、
さらに、
前記反射光受信器で反射光を検出しなくなると、
前記励起光源の出力を一定値に制御することを特徴とする光伝送装置。
【請求項６】
請求項５に記載の光伝送装置であって、
前記第１の光合分波器に光信号を入力する光送信器を備え、
前記反射光受信器において、前記第２の伝送路から前記第２の光合分波器から入力された光信号を受信すると、
前記制御部は、
前記励起光源を停止し、さらに、
前記光送信器に光信号を送出するよう制御信号を送信し、
前記第１の光合分波器は、
前記光送信器から送出された光信号を前記第１の伝送路に送出することを特徴とする光伝送装置。
【請求項７】
請求項５に記載の光伝送装置であって、
前記第１の光合分波器からの光信号を反射する反射ミラーを備え、
前記反射光受信器において、前記第２の伝送路から前記第２の光合分波器から入力された光信号を受信すると、
前記制御部は、
前記励起光源を停止し、さらに、
前記反射ミラーに光反射を開始するよう制御信号を送信し、
前記第１の光合分波器は、
前記反射ミラーで反射された光信号を前記第１の伝送路に送出することを特徴とする光伝送装置。
【請求項８】
第１の中継局と、前記第１の中継局に接続される第２の中継局と、前記第２の中継局に接続される第３の中継局と、を含む光伝送システムの光伝送方法であって、前記第１の中継局は、端局または、第４の中継局に接続され、
前記端局または前記第４の中継局と第１の中継局とを接続する第１の伝送路上で伝送路障害が発生した場合、
前記第１の中継局が、
前記第２の中継局に向けて光信号を送信するステップと、
前記第２の中継局が、
前記光信号を検出すると、前記第３の中継局に向けて光信号を送信するステップと、
前記第３の中継局が、
前記第２の中継局から前記光信号を受信すると、前記第２の中継局に向けた光信号を増幅する光増幅器の励起光源を停止するステップと、含むことを特徴とする光伝送方法。
【発明の詳細な説明】
【技術分野】
【０００１】
本発明は、光伝送システムの省電力方式に関する。
【背景技術】
【０００２】
双方向光伝送路の複数の光通信局間における光伝送の際に、光通信局内の光増幅手段への入力信号光電力があらかじめ定められた設定値の範囲内にあるか否かを判定し、設定値の範囲外の場合は、出力変更指示情報を光伝送の方向とは反対方向の光通信局に送出し、反対方向の光通信局の光増幅手段に供給される励起光電力を調整して反対方向の光通信局の出力信号光電力を調整することが特許文献１に開示されている。
【先行技術文献】
【特許文献】
【０００３】
【特許文献１】特開２００３−６９５０１号公報
【発明の概要】
【発明が解決しようとする課題】
【０００４】
特許文献１では、複数の光通信局が直列に接続されて光伝送路が構成されている場合、第１の光通信局は、自装置の前段に自装置と隣接して接続される第２の光通信局の光信号は制御可能であるが、第２の光通信局にの前段に自装置と隣接して接続される第３の光通信局の光信号を制御できない。そのため特許文献１に載の技術を用いると、第１の通信局の後段の伝送路で伝送路障害が発生すると、第１の光通信局は、第１の光通信局の前段に接続される第２の光通信局の送信光信号を低下させることは可能であるが、第２の光通信局の前段に接続される第３の光通信局の送信光信号を低下させることはできない。よって、第３の光通信局は、後段の伝送路で伝送路障害が発生しているにも関わらず、後段の伝送路に向けて光信号を送信し続ける。また、特許文献１の技術を用いると、第１の光通信局は、後段の伝送路で伝送路障害が発生しているにも関わらず、後段の伝送路に向けて光信号を送信し続ける。従って、光通信局は電力を無駄に消費してしまう。そこで、本発明は、伝送路の障害発生時に光通信局の消費電力を低減することを目的とする。また、消費電力の低減を図りつつも、障害復旧時には、自動的に低消費電力状態から通常状態に復旧することを目的とする。
【課題を解決するための手段】
【０００５】
第１の中継局と、前記第１の中継局に接続される第２の中継局と、前記第２の中継局に接続される第３の中継局と、を含む光伝送システムであって、前記第１の中継局は、端局または、第４の中継局に接続され、前記端局または前記第４の中継局と第１の中継局とを接続する第１の伝送路上で伝送路障害が発生した場合、前記第１の中継局は、前記第２の中継局に向けて光信号を送信し、前記第２の中継局は、前記光信号を検出すると、前記第３の中継局に向けて光信号を送信し、前記第３の中継局は、前記第２の中継局から前記光信号を受信すると、前記第２の中継局に向けた光信号を増幅する光増幅器の励起光源を停止することを特徴とする
【発明の効果】
【０００６】
光伝送路障害発生時に、当該伝送区間を構成する正常な機器の電力消費を低減し、光伝送路障害回復時に、自動的に復旧可能な、低消費電力光伝送システムを提供可能である。
【図面の簡単な説明】
【０００７】
【図１】本実施例の構成図例
【図２】光増幅器部のブロック図
【図３】光増幅部のブロック図
【図４】光合分波器１のブロック図
【図５】光合分波器２のブロック図
【図６】制御部のブロック図
【図７】光制御部で動作する制御のフローチャート
【図８】実施例２における制御部のブロック図
【図９】実施例２における光制御部で動作する制御のフローチャート
【図１０】伝送路障害無時の中継局動作を示した図
【図１１】中継局Ｃ−Ｄ間で伝送路障害が発生した直後の中継局動作を示した図
【図１２】中継局Ｃ−Ｄ間で伝送路障害が発生した後の消費電力低減時の中継局動作を示した図
【図１３】中継局Ｃ−Ｄ間で伝送路障害が発生した後の消費電力低減時の中継局動作を示した図
【図１４】伝送路障害回復直後の中継局動作を示した図
【図１５】伝送路障害回復後の中継局動作を示した図
【図１６】伝送路障害回復後の中継局動作を示した図
【図１７】伝送路障害回復後の消費電力低減による影響が収束した後の中継局動作を示した図
【発明を実施するための形態】
【０００８】
以下本発明の実施の形態について、実施例を用いて図面を参照しながら説明する。
【実施例１】
【０００９】
本実施例では光伝送路障害発生時に、当該伝送区間を構成する正常な伝送路を構成する機器の消費電力低減を行なう光伝送装置２０００の例を説明する。
【００１０】
図１に本実施例の構成図例を示す。図１において、光伝送システム１０００は、端局Ａの送信局２０００と、端局Ｂの受信局４０００と端局ＡとＢを接続する中継局Ｂ、Ｃ、Ｄの３０００-１，３０００−２，３０００−３から構成されている。中継局Ｂ、Ｃ、Ｄは設置局が異なるが、同じ機能を有する局である。各装置間は光ファイバを用いて接続される。
【００１１】
送信局２０００は、図示しないユーザー装置１〜Ｎからの信号を送信機２１００−１〜２１００−Ｎへ入力し、受信局４０００は、図示しないユーザー装置１〜Ｎへ受信機４１００−１〜４１００−Ｎから信号を送出することで、端局Ａと端局Ｂ間の通信を可能とする。
【００１２】
送信局２０００の送信機２１００−１〜２１００−Ｎは、伝送路への光送出に適した通信光に波長変換する。
【００１３】
波長多重部２２００は、送信機２１００−１〜２１００−Ｎから受信した光を受信して１本の光ファイバで伝送可能となるよう波長多重する。
【００１４】
受信局４０００の波長分離部４２００は、中継局Ｄから受信した光信号を受信機４１００−１〜４１００−Ｎで受信可能とするよう光信号を波長毎に分離し、受信機１〜Ｎへそれぞれ送信する。
【００１５】
送信局２０００と中継局３０００−Ｎ間は１００ｋｍや３０ｄＢ損失に代表される長距離伝送を念頭に置くが、本制御は局間距離に依存しない制御のため、距離によらず適用可能である。
図２は中継局３１００−１〜３１００−３のブロック図である。中継局３１００−１〜３１００−３は、それぞれ同じ機能を有し、光合分波部−１ ３１１０、光増幅部３１２０、光合分波部−２ ３１３０、モニタ受光部３１４０、励起光源３１７０、光送信機３１８０、制御部３１９０、反射光受信機３２００で構成される。
【００１６】
光合分波器−１ ３１１０は、ＩＮ側からの入力光をモニタ受光器３１４０と光増幅部３１２０へ分波する。また、光合分波器−１ ３１１０は、点線の矢印で占めすように光送信器３１８０からの光を合波してＩＮ側に送出する。
【００１７】
光増幅部３１２０は、光合分波器―１ ３１１０から分波された受光した光を、励起光源３１７０の光を用いて増幅し、増幅した光を光合分波器―２ ３１３０へ送出する。
【００１８】
光合分波器―２ ３１３０は、光増幅部３１２０から受信した光をＯＵＴ側に送出する。また、光合分波器―２ ３１３０は、点線で示すように、ＯＵＴ側から受信した光を反射光受信器３２００に送信する。光合分波器―２ ３１３０は、ＯＵＴ側の伝送路でファイバ断が発生した場合、あるいは、ＯＵＴ側に接続される中継局の光送信器から出力される光信号を受信した場合、受信した光を反射光受信器３２００へ送信する。  モニタ受光器３１４０は、光合分波器―１から受信した光の光強度を測定し、測定したモニタ光強度を制御部３１９０に送信する。
【００１９】
励起光源３１７０は、制御部３１９０からの制御信号により励起光の送信・停止を制御する。また、励起光源３１７０は、制御部３１９０からの制御信号により励起光の送信光レベルが一定となるよう制御を行なう。
【００２０】
光送信器３１８０は、光を送出する。送出される光は制御用の信号として用いられる。光送信器３１８０は、制御部３１９０からの制御信号により、光の送信及び停止を制御する。  制御部３１９０は、反射光受信機３２００からの受信光強度およびモニタ受光器３１４０からのモニタ光強度を受信し、受信した受信光強度及びモニタ光強度に基づいて励起光源３１７０および光送信機３１８０の動作を制御する。
【００２１】
反射光受信機３２００は、光合分波器―２ ３１３０から受信した光強度を測定し、測定した受信光強度を制御部３１９０に送信する。
【００２２】
図３は光増幅部３１２０のブロック図である。光増幅部３１２０は、アイソレーター３１２２、３１２３および光増幅用ファイバ３１２１で構成される。
【００２３】
アイソレーター３１２２は、光増幅用ファイバ３１２１からの励起用光を光合分波器３１１０へ送信しないよう減衰させると共に、光合分波器−１  ３１１０から光増幅用ファイバ３１２１への光信号を透過させる。
【００２４】
光増幅用ファイバ３１２１は、Er添加光ファイバに代表される光増幅用ファイバであり、励起光源３１７０からの入力光を受信してアイソレーター３１２２から受信した光信号を増幅し、アイソレーター３１２３に送信する。
【００２５】
アイソレーター３１２３は、光増幅用ファイバ３１２１からの増幅された光信号を光合分波器―２ ３１３０へ透過させる。また、アイソレーター３１２３は、光合分波器―２ ３１３０からの光を光増幅用ファイバ３１２１へ送信しないよう減衰させる。
【００２６】
図４は光合分波器１のブロック図である。光合分波器―１ ３１１０は、光合分波部―１ ３１１１で構成される。光合分部−１ ３１１１は、ＩＮ側からの光を３つに分岐する光カプラである。３つの分岐比は、光増幅部 ３１２０向けが主、モニタ受光器 ３１４０向けが従、光送信器 ３１８０が従となる比率であり、代表的設計例としては、５０：２５：２５程度が挙げられるが、光増幅部３１２０の性能およびモニタ受光器３１４０の性能によっては、本分岐比率に限定されない。  図５は光合分波器２のブロック図である。光合分波器―２ ３１３０は、光合分波部―２ ３１３１で構成される。
光合分波部―２ ３１３１は、ＯＵＴ側からの光を２つに分岐する光カプラである。２つの分岐比率は、光増幅部３１２０向けが主、反射光受信器 ３２００向けが従となる比率であり、代表的設計例としては、７２：２５程度が挙げられるが、光増幅部３１２０の性能および反射光受信器３２００の性能によっては、本分岐比率に限定されない。
【００２７】
図６は制御部３１９０のブロック図である。制御部３１９０は、主信号光判定部３１９１、反射光判定部３１９３、光制御部３１９２で構成される。
【００２８】
主信号光判定部３１９１は、モニタ受光部３１４０からのモニタ光強度の測定結果を受信し、主信号光有無を判定する。判定閾値は、主信号光判定部３１９１で固定的にもち、モニタ受光器の光受信判定下限な光パワーを超えた値とする。主信号光判定部３１９１は、モニタ光強度が判定閾値以上の場合は「光入力有」と判定し、モニタ光強度が判定閾値よりも小さい場合は「光入力無」と判定する。本閾値は光の有無のみを判定する。主信号光判定部３１９１は、主信号光有無判定結果を光制御部３１９２に送信する。
【００２９】
反射光判定部３１９３は、反射光受信器３２００からの受信光強度測定結果を受信し、反射光レベルにより２種類の判定を行なう。
【００３０】
一つ目の判定は、反射光強度が励起強度光に依存して変化する場合で、反射光判定部３１９３は、中継局のＯＵＴ側から送信される光信号の光送信パワーに連動して反射光強度が変動する場合は「反射光有り」と判定し、それ以外の場合は「反射光無し」と判定する。
【００３１】
もう１つの判定は、反射光判定部３１９３は、反射光強度が励起強度光に依存せず一定である場合、または、励起光強度との関係が不明な場合で反射光が検出される場合、「光入力有り」と判定し、それ以外の場合は「光入力無し」と判定する。
【００３２】
反射光有無判定結果および、光有無判定結果は光制御部３１９２に送信される。
【００３３】
光制御部３１９２は、主信号光判定部３１９１および反射光判定部３１９３からの反射光有無判定結果及び光有無判定結果を受信し、図７または図９に示す制御フローチャートに基づいた制御結果として、励起光源制御信号を励起光源３１７０に送信し、光送信機制御信号を光送信機３１８０に送信する。
【００３４】
図７に、光制御部３１９２で実行される制御フローＳ７１０を示す。制御フローはＳ７１０からスタートする。制御フローＳ７１１において、光制御部３１９２は主信号判定部３１９１から送信される主信号光有無判定結果に基づき、「光有り」判定時はＳ７１２、「光無し」判定時はＳ７１６の処理を行なう。
【００３５】
制御フローＳ７１６において、光制御部３１９２は、励起光源３１７０を停止するため、励起光源３１７０に対して光停止となるよう制御信号を送信する。光制御部３１９２は、制御フローＳ７１６を終えると、制御フローＳ７１７の処理により光送信器を停止させるよう光送信器に制御信号を送信する。Ｓ７１７は光送信器が光信号を送出している場合にのみ行ってもよい。本制御により、中継局は光増幅を停止する。よって、中継局が光信号を受信していない場合、すなわち、伝送路のファイバ断により前段の中継局からの光信号を受信しない場合に、中継局の励起光源３１７０及び光送信器を停止することが出来る。
【００３６】
制御フローＳ７１２において、光制御部３１９２は反射光受信器３２００から送信される反射光有無判定結果に基づき、「反射光有り」判定時はＳ７１８、「反射光無し」判定時はＳ７１３の処理を行なう。「反射光有り」判定時は、当該中継局の後段の伝送路でファイバ断が発生している場合である。本制御フローＳ７１２で「反射光有り」と判定されるためには、一度励起光を変動させる必要があるため、励起光を変動させる処理であるＳ７２０を一度も行わない場合は、本判定は必ずＮｏとなる。
【００３７】
制御フローＳ７１８において、光制御部３１９２は、励起光源３１７０の光出力を低減するため、励起光源３１７０に対して低下した光出力となるような制御信号を送信する。ＯＵＴ側の伝送路ファイバ破断が発生した場合に、光増幅部３１２０は光増幅率を低下させることにより、当該中継局の消費電力を低下するとともに、当該中継局は、ＯＵＴ側の伝送路ファイバ破断が復旧したかどうかを監視することが出来る。
【００３８】
さらに、光制御部３１９２は、制御フローＳ７１９の処理行なう。制御フローＳ７１９において、光制御部３１９２は、光送信器３１８０からの送信光を開始するため、光送信器３１８０に対して光送信開始するよう光送信機制御信号を送信する。本制御により、当該中継局の前段の中継局の励起光を停止することが出来、前段の中継局の消費電力を低減することが出来る。
【００３９】
次に、光制御部３１９２は、制御フローＳ７１３の処理を行なう。
【００４０】
制御フローＳ７１３において、光制御部３１９２は反射光受信器３２００から送信される受信光強度に基づき、「光有り」判定時はＳ７２０、「光無し」判定時はＳ７１４の処理を行なう。
【００４１】
制御フローＳ７２０において、光制御部３１９２は、励起光源３１７０を停止するため、励起光源３１７０に対して光停止となるよう制御信号を送信する。これにより、後段の中継局が反射光を受信することによりファイバ断を検出している時に、当該中継局の消費電力を低下することが出来る。
【００４２】
光制御部３１９２は、制御フローＳ７２０を終えると、制御フローＳ７２１の処理により光送信器を発光させるよう光送信器に制御信号を送信する。本制御により、当該中継局の前段の中継局の励起光を停止することが出来、前段の中継局の消費電力を低減することが出来る。
【００４３】
制御フローＳ７１４において、光制御部３１９２は、励起光源３１７０を通常出力とするため、励起光源３１７０に対して通常出力となるよう制御信号を送信する。制御フローＳ７１４を終えると制御フローＳ７１５の処理を行なう。本制御により、当該中継局は、光合分波器―１ ３１１０からの光を増幅して光合分波器―２ ３１３０へ送信する。これにより、励起光源の出力を停止、または、低消費電力の状態から通常の出力状態にすることが出来る。
【００４４】
制御フローＳ７１５において、光制御部３１９２は、光送信器３１８０からの送信光を停止させるため、光送信機３１８０に対して光送信停止となるよう制御信号を送信する。制御フローＳ７１５を終えると、制御フローＳ７１１の処理を再び行う。
【実施例２】
【００４５】
本実施例では光送信器３１８０の代わりに全反射ミラーを用いた装置２０００の例を説明する。
【００４６】
図８は本実施例における中継局を示す図であり、図２との差分は全反射ミラー３１８１である。全反射ミラー３１８１は、光合分波器―１  ３１１０からの光を完全に反射する鏡であり、図２における光送信器３１８０と同等の機能を提供する。また、本実施例における光制御部３１９２の制御フローを図９に示す。光合分波部−１ ３１１０、光増幅部３１２０、光合分波部−２ ３１３０、モニタ受光部３１４０、励起光源３１７０、制御部３１９０の主信号光判定部３１９１、反射光判定部３１９３、反射光受信機３２００は図２、図６と同様である。
【００４７】
図９において、図７との差分はＳ９２２〜Ｓ９２５である。
制御フローＳ９２２において、光制御部３１９２は全反射ミラー３１８１を反射停止とするため、反射ミラーに対して反射停止となるような制御信号を送信する。
【００４８】
制御フローＳ９２３において、光制御部３１９２は全反射ミラー３１８１を反射開始とするため、反射ミラーに対して反射開始となるような制御信号を送信する。次に、制御フローＳ９１２の処理を行なう。
【００４９】
制御フローＳ９２４において、光制御部３１９２は、全反射ミラー３１８１を反射停止とするため、反射ミラーに対して反射停止となるような制御信号を送信する。次に、制御フローＳ９１２の処理を行なう。
制御フローＳ９２５は制御フローＳ９２２と同じ処理を行なう。
【実施例３】
【００５０】
本実施例では光伝送路障害発生時に当該伝送区間を構成する正常な伝送路を構成する機器の消費電力低減を行ない、復旧時の伝送路状態把握機能を追加した中継局の例を説明する。
【００５１】
図１〜図７に示した実施例１との差分は図１０に示す光制御部フローチャートの論理でありＳ１０３１〜Ｓ１０３４が追加となっている。制御フローＳ１０１１において、光制御部３１９２は主信号判定部３１９１から送信される主信号光有無判定結果に基づき、「光有り」判定時はＳ１０１２、「光無し」判定時はＳ１０１６の処理を行なう。
【００５２】
光制御部３１９２は、制御フローＳ１０１１において、光制御部３１９２は主信号判定部３１９１から送信される主信号光有無判定結果に基づき、「光有り」判定時は、制御フローＳ１０１２に進む。一方、「光無し」判定時は、Ｓ１０１６において、励起光の停止信号を励起光源に送信する。さらに、制御フローＳ１０１７において光送信器を停止する。
【００５３】
制御フローＳ１０３１において、光制御部３１９２は、励起光源３１７０の励起光出力を増加させるために励起光源３１７０に対して光出力を増加させる制御信号を送信すると共に、制御フローＳ１０３２の処理を行なう。増加させる光出力は反射光受信器３２００での光検出分解能に依存し、分解能以上の増加量が必要となるが、一般的光検出器の分解能を考慮すると、１ｄＢ程度増加させれば十分効果はあると考えられる。
光制御部３１９２は、制御フローＳ１０３２において、制御フローＳ１０３１における光増加を受けて反射光受信器３２００の受信光強度に基づき、その光受信光強度増加が見られる場合、Ｓ１０３３、増加が見られない場合、Ｓ１０１４の処理を行なう。
制御フローＳ１０３３は光制御部Ｓ７１８と同じ処理を行なう。
制御フローＳ１０３４は光制御部Ｓ７１９と同じ処理を行なう。
【００５４】
図１１〜図１７は本発明の実施例１または２または３実施時の装置動作を記載したものである。
【００５５】
図１１は伝送路断が発生する前の正常動作状態を表す。本状態においては、中継局Ｂ ３０００−１、中継局Ｃ ３０００−２、中継局Ｄ ３０００−３はいずれも同じ状態（反射光：なし、励起光：通常、モニタ光：検出、光送信：停止）である。図中の反射光は反射光受信器３２００における光強度測定結果、励起光は励起光源３１７０における励起光強度制御結果、モニタ光はモニタ受光器３１４０におけるモニタ光強度の測定結果、光送信は光送信器３１８０における光送信器制御状態、受信光は受信器１〜Ｎ ４１００−１〜４１００−Ｎでの受信光強度を示す。本状態では中継局Ｂ ３０００−１〜中継局Ｄ ３０００−３のいずれも消費電力最大の通常運用状態である。図１１はt=0として、装置の通常運用状態を初期値として示している。通常運用状態では中継局３０００では反射光無し、励起光通常動作、入力モニタ光検出、制御用光送信停止状態となっている。この状態の場合、光制御部３１９２の制御フローにより、励起光や光送信器は制御されることはない。
【００５６】
図１２はt=1において、中継局Ｃ３０００−２と中継局Ｄ３０００−３の間の伝送路のファイバが破断した直後の装置状態を示している。
【００５７】
中継局Ｃ３０００−２では、伝送路ファイバ破断によって、反射光受信機３２００は、反射光を受信し、受信した光強度を測定し、測定した受信光強度を制御部３１９０に送信する。中継局Ｃ３０００−２の反射光判定部３１９３は、反射光を検出する。中継局Ｃ３０００−２の光制御部３１９２は、制御フローＳ７１２において、反射光検出による反射光有無判定「有」であるため、制御フローＳ７１８において、励起光を低下させる制御信号を励起光源３１７０に送信し、さらに、制御フローＳ７１９において光送信器３１８０に光送信器から光信号を送信するよう制御信号を送信する。これにより中継局Ｃ３０００−２は、励起光を低下させるとともに、反射光の検出の有無により、ファイバ破断の復旧を監視する。また、中継局Ｂに制御用光信号を送信する
t=1において、中継局Ｃからの制御用光信号は、まだ中継局Ｂ３０００−１に到達していないため、中継局Ｂの励起光は通常出力の状態である。よって、中継局Ｃ３０００−２のモニタ受光器３１４０について入力モニタ光はまだ検出されている。
【００５８】
中継局Ｄ３０００−３は、伝送路ファイバ破断により中継局Ｃ３０００−２から光信号を受信しないため、モニタ受光器３１４０において入力モニタ光検出がなくなる。よって、光制御部３１９２は、制御フローＳ７１１において主信号判定部での光入力なしと判定し、励起光を停止する制御信号を励起光源３１７０に送信する。これにより、中継局Ｄ３０００−３からの光送信を停止する。よって、中継局Ｄ３０００−３の消費電力を低減できる。
【００５９】
図１３はt=2において、t=1による中継局Ｃの光制御部３１９２の制御動作が中継局Ｂ３０００−１に到達した状態を示している。中継局Ｂ３０００−１は、モニタ受光器３１４０は入力モニタ光を検出するが、中継局Ｃ３０００−２からの制御光を反射光受信機３２００が受信する。したがって、光制御部３１９２は、制御フローＳ７１３において反射光判定部での光有無判定結果を「光入力有」と判断し、Ｓ７２０において励起光を停止する制御信号を励起光源３１７０に送信し、励起光源３１７０は励起光を停止する。本制御によりファイバ破断した箇所より前段の中継局Ｂ３０００−１の励起光を停止させることができ、中継局Ｂ３０００−１の省電力化を実現することが出来る。
【００６０】
図１４はt=11において、図１３におけるファイバ破断が解消した直後の状態を示す。
ファイバ破断が解消すると、中継局Ｃ３０００−２の反射光受信機３２００は、反射光を受信しなくなり、制御部３１９０の反射光判定部３１９３は反射光を検出しない。よって、光制御部３１９２は、制御フローＳ７１３において反射光判定部の反射光有無の判定結果は「反射光なし」、反射光判定部の光入力有無の判定結果は「光入力なし」であるため、Ｓ７１４において、励起光を通常出力制御とする制御信号を励起光源に送信し、さらに、Ｓ７１５において、光送信器３１８０に制御用光送信を停止する制御信号を送信する。但し、t=11においては、中継局Ｂ３０００−１には、制御用光送信は到達している状態である。そのため、Ｓ７１４による励起光通常出力後に、Ｓ７１１の判定による主信号光有無判定により光入力無しと判定され、Ｓ７１６処理による励起光停止となり、中継局Ｄ３０００−３には光が到達しない。
【００６１】
図１５はt=12において、t=11における制御動作が中継局Ｂ３０００−１に到達した状態を示している。中継局Ｂ３０００−１では、中継局Ｃ３０００−２の制御光停止により、光制御部３１９２の制御フローＳ７１３において反射光判定部の光入力有無の判定結果「光入力なし」と判定され、光制御部３１９２は、励起光源３１７０に励起光を通常出力とするよう制御信号を送信する。但し、t=12においては、本励起光の復旧はまだ中継局３０００−２Ｃには到達していない。
【００６２】
図１６はt=13において、t=12における中継局Ｂ３０００−１の励起光復旧が中継局Ｃ３０００−２に到達した状態を示す。中継局Ｃ３０００−２では、モニタ受光器３１４０は入力モニタ光復旧を受けて、光出力が開始されている。図１７はt=14において、t=13における中継局Ｃ３０００−２の励起光復旧が中継局Ｄ３０００−３に到達し、中継局Ｄ３０００−２のモニタ受光器３１４０は入力モニタ光を検出する。光制御部３１９２の制御フローＳ７１１において、受信号判定部の判定結果は「光入力あり」と判定され、Ｓ７１４において、励起光源３１７０に励起光を通常出力とするよう制御信号を送信する。励起光源３１７０は制御信号を受信し、励起光の通常出力を再開する。以上により、通常運用状態に復旧する。
【符号の説明】
【００６３】
１０００  光伝送システム
２０００  送信局
３０００−１、３０００−２、３０００−３  中継局
４０００  受信局
２１００−１、２１００−Ｎ  送信機
２２００  波長多重部
３１００−１、３１００−２、３１００−３  光増幅器
４２００  波長分離部
４１００−１、４１００−Ｎ  受信機
３１１０  光合分波部―１
３１２０  光増幅部
３１３０  光合分波部―２
３１４０  モニタ受光部
３１７０  励起光源
３１８０  光送信器
３１９０  制御部
３２００  反射光受信器
３１２１  光増幅用ファイバ
３１２２、３１２３  アイソレーター
３１１１  光合分波部―１
３１３１  光合分波部―２
３１９１  主信号光判定部
３１９２  光制御部
３１９３  反射光判定部
３１８１  全反射ミラー
【図１】
2015115675.tif 000003
【図２】
2015115675.tif 000004
【図３】
2015115675.tif 000005
【図４】
2015115675.tif 000006
【図５】
2015115675.tif 000007
【図６】
2015115675.tif 000008
【図７】
2015115675.tif 000009
【図８】
2015115675.tif 000010
【図９】
2015115675.tif 000011
【図１０】
2015115675.tif 000012
【図１１】
2015115675.tif 000013
【図１２】
2015115675.tif 000014
【図１３】
2015115675.tif 000015
【図１４】
2015115675.tif 000016
【図１５】
2015115675.tif 000017
【図１６】
2015115675.tif 000018
【図１７】
2015115675.tif 000019